(57)【特許請求の範囲】
【請求項１】
背面の中心を通る水平線及び垂直線の上に前記中心に対して左右及び上下に等間隔で振り分けられて、左右又は上下に形成された２個を一対一組とする計４個の背面孔が底壁に形成されたボックスを鉄筋に架設するためのボックス架設具であって、
手で折り曲げ可能な一対の支持棒から成って、鉄筋に架設される架設部と、前記ボックスの底壁の背面に当接して、該ボックスに取付けられる取付部とを備え、
前記取付部は、
前記ボックスの背面孔に挿通され、ボックス内において折り曲げられて当該取付部をボックスの背面に取付けるために相対向して配置された一対の突片と、
前記一対の突片を前記一対一組の背面孔にボックスの背面から挿通して、ボックス内で前記一対の突片を折り曲げて、ボックス架設具の取付部にボックスを取付ける際に、前記一対の突片を曲げ損じて、ボックス架設具の取付部に対してがたついた状態で取付けられた場合に、前記一対の突片が挿通された一対一組の背面孔とは別の一対一組の背面孔に、一対のビスをボックス内側から挿通し、当該一対のビスの先端部を強制的に螺入させることで、ボックス架設具の取付部をボックスの背面側に引き寄せて、ボックス架設具の取付部にボックスが密着し、かつ安定した状態で取付けるために相対向して配置された一対のビス螺入孔と、
を備え、
前記一対の突片と前記一対のビス螺入孔とは、前記一対の突片を結ぶ線分と、前記一対のビス螺入孔を結ぶ線分が、前記ボックスの背面に左右又は上下に振り分けられた一対一組の背面孔の間隔と等しい長さを有し、かつ各線分の中点で十字状に交叉するように配置されていることを特徴とするボックス架設具。
【発明の詳細な説明】
【０００１】
【発明の属する技術分野】
本発明は、ボックスの背面側に取付けられて、架設部を介してボックスを鉄筋に架設するためのボックス架設具に関するものである。
【０００２】
【従来の技術】
上記したボックス架設具の一つとして、特許第2559639 号公報に開示されているものが知られている。このボックス架設具は、金属バー材等から成る鉄筋への架設部と、金属薄板等から成るボックスへの取付部とを備えたものであって、ボックスへの取付けを容易ならしめるべく、前記取付部には、ボックス背面から挿入されて、該ボックス内において折り曲げられる突片を備えている。具体的には、ボックスの背面となる底壁に背面孔が設けられていて、前記架設具の取付部（取付板）に設けられた突片を前記背面孔に挿通して、該突片をボックス内で折り曲げることにより、架設具の取付部（取付板）と、ボックス内で折り曲げられた突片との間でボックスの底壁を挟持している。
【０００３】
上記突片によれば、ボックスに対する架設具の取付けを容易に行えるが、該突片のボックス内への挿入が完全でなかったり、ボックス内に挿入された突片の折曲げを損じて、その折曲げ位置が、該突片の基端部ではなくて、これよりも先端であった場合には、架設具の取付部（取付板）と、突片の折曲げ部との間に隙間が生じて、架設具の取付部（取付板）に対してボックスが、がたついた状態で取付けられる場合が少なくない。そして、突片は、ある程度の剛性を有しているために、一度曲げ損じた突片を曲げ直すことは、極めて困難であり、従来は、曲げ損じた突片は、そのままにしていた。よって、取付部に突片を備えたボックス架設具によって、ボックスを鉄筋に固定しても、ボックス前面が型枠形成面（将来の内壁面となる面）に対して傾斜してしまい、コンクリートの打設時にボックス内にコンクリートが侵入する恐れがある。
【０００４】
【発明が解決しようとする課題】
本発明は、突片を利用してボックスに取付けられる構成のボックス架設具において、突片を曲げ損じても、これを曲げ直しすることなく、ボックスをがたつかせない安定した状態で取付可能にして、ボックス前面からのコンクリート侵入や、ボックスの傾斜埋設を防止することを課題としている。
【０００５】
【課題を解決するための手段】
この課題を解決するための請求項１の発明は、背面の中心を通る水平線及び垂直線の上に前記中心に対して左右及び上下に等間隔で振り分けられて、左右又は上下に形成された２個を一対一組とする計４個の背面孔が底壁に形成されたボックスを鉄筋に架設するためのボックス架設具であって、手で折り曲げ可能な一対の支持棒から成って、鉄筋に架設される架設部と、前記ボックスの底壁の背面に当接して、該ボックスに取付けられる取付部とを備え、前記取付部は、前記ボックスの背面孔に挿通され、ボックス内において折り曲げられて当該取付部をボックスの背面に取付けるために相対向して配置された一対の突片と、前記一対の突片を前記一対一組の背面孔にボックスの背面から挿通して、ボックス内で前記一対の突片を折り曲げて、ボックス架設具の取付部にボックスを取付ける際に、前記一対の突片を曲げ損じて、ボックス架設具の取付部に対してがたついた状態で取付けられた場合に、前記一対の突片が挿通された一対一組の背面孔とは別の一対一組の背面孔に、一対のビスをボックス内側から挿通し、当該一対のビスの先端部を強制的に螺入させることで、ボックス架設具の取付部をボックスの背面側に引き寄せて、ボックス架設具の取付部にボックスが密着し、かつ安定した状態で取付けるために相対向して配置された一対のビス螺入孔とを備え、前記一対の突片と前記一対のビス螺入孔とは、前記一対の突片を結ぶ線分と、前記一対のビス螺入孔を結ぶ線分が、前記ボックスの背面に左右又は上下に振り分けられた一対一組の背面孔の間隔と等しい長さを有し、かつ各線分の中点で十字状に交叉するように配置されていることを特徴としている。
【０００６】
ボックス架設具の一対の突片を、ボックスに左右又は上下に形成された２個を一対一組とする計４個の背面孔のうち左右又は上下のいずれか一方の一対の背面孔に挿通して、ボックス内で前記一対の突片を折り曲げて、架設具の取付部にボックスを取付ける際に、前記一対の突片のいずれかを曲げ損じて、架設具の取付部に対してがたついた状態でボックスが取付けられる場合には、一対の前記突片が挿通された一対の背面孔とは別の一対の背面孔に一対のビスを挿通してボックス内を貫通させ、該一対のビスの先端部を、架設具の取付部に設けられた一対のビス螺入孔に螺入させて、架設具の取付部をボックスの背面側に引き寄せる。これにより、突片を曲げ損じた場合には、一対の突片と一対のビスとにより十字形の各先端の４箇所において、架設具の取付部にボックスが、密着しかつ安定した状態で取付けられる。
【０００７】
【０００８】
【発明の実施の形態】
以下、実施例を挙げて、本発明を更に詳細に説明する。図１は、本発明に係るボックス架設具Ａ1 と、これに取付けられるボックスＢとの斜視図であり、図２は、ボックス架設具Ａ1 の正面図であり、図３は、図２のＸ−Ｘ線断面図であり、図４は、図２のＹ−Ｙ線断面図であり、図５は、ボックスＢの正面図である。図１及び図５において、本実施例のボックス架設具Ａ1 が取付けられるボックスＢは、その正面形状が正方形のものであって、その底壁２１に４個の背面孔２２a,２２b が貫通して設けられている。この４個の背面孔２２a,２２b は、底壁２  １の中心Ｃ（対角線の交点）を通る水平線及び垂直線の上にそれぞれ設けられている。即ち、一対一組となった２個の背面孔２２ａは、前記中心に対して上下方向に等間隔に振り分けられ、残りの一対一組となった２個の背面孔２２ｂは、前記中心に対して左右に等間隔に振り分けられ、上下及び左右に沿って相対向する一対一組となっている２個の背面孔のピッチＰは、同一となっている。
【０００９】
また、図１ないし図３、図９に示されるように、ボックス架設具Ａ1 は、本体部を構成する取付板１と、該取付板１の上下の各端部に互いに平行となって固定される一対の支持棒２とで構成される。取付板１は、薄鋼板をプレス加工して形成されたもので、取付板１にボックスＢを取付けた状態において、前記ボックスＢの底壁２１に設けられる４個のノックアウト孔２３のうち、一方の対角線方向に沿った２個のノックアウト孔２３との干渉が避けられるように、中心部に設けられた短円筒部３を境にして、その上半部及び下半部の各部分が点対称となった形状をしている（図２参照）。また、支持棒２は、手で折り曲げ可能な鉄線で構成されている。
【００１０】
上記形状の取付板１は、長手方向（使用状態において上下方向）の中央部のみが、他の部分よりも幅広に形成されて、この中央部の幅広の部分には、前記短円筒部３を挟んで一対のビス螺入孔４が水平方向に沿って所定間隔をおいて貫通して設けられている。一対のビス螺入孔４のピッチＰは、前記ボックスＢの背面孔２２a,２２b のそれと同一であり、しかも、その中央に前記短円筒部３が位置している。また、取付板１の上下の各端部は、プレス加工時において同一側にカール成形させて、その間に前記支持棒２が挟持されている。そして、プレス成形によって、取付板１の上下端部がカール成形されて、そのカール成形部５に支持棒２が挟持された状態において、該カール成形部５の中央部がポンチ１１によって、短円筒部３の側にかしめられることにより、支持棒２と、これを挟持しているカール成形部５とが、一体となってクランク状にわん曲成形されて、支持棒２とカール成形部５との双方にクランク部２ａ，５ａが形成されている（図１及び図４参照）。この構造によって、取付板１に対する支持棒２の回動と、自身の長手方向に沿った摺動との双方が阻止されて、取付板１に対して支持棒２が一体に取付けられる。なお、図１及び図４において、６は、上記クランク部２ａ，５ａを形成するために取付板１のカール成形部５に設けられた凹部を示す。
【００１１】
また、取付板１には、上下方向に沿って所定間隔をおいて一対の突片７が短円筒部３と反対の側に向けて、取付板１に対してほぼ垂直に切り起こされている。この一対の突片７のピッチは、前記ボックスＢの背面孔２２ａ，２２ｂのピッチＰと同一であり、その中央に前記短円筒部３が位置している。取付板１における前記突片７が突出されている側の面は、ボックスＢの背面に当接される平面状の当接面１ａとなっている。なお、取付板１における短円筒部３の外周部には、環状リブ８が背面側に向けて突設されていると共に、取付板１における前記環状リブ８と、その上下端部のカール成形部５との間には、直線リブ９が同じく背面側に向けて突設されている。
【００１２】
そして、上記したボックス架設具Ａ1 を使用して、鉄筋ＲにボックスＢを取付けるには、以下のようにして行う。まず、図６に示されるように、ボックスＢの背面側にボックス架設具Ａ1 を配置しておいて、これに設けられた一対の突片７をボックスＢの上下方向に沿った一対一組の背面孔２２ａに挿通し、工具（図示せず）を使用して、ボックスＢ内において各突片７を外側に折り曲げる。突片７の折曲げ時において、同図に示されるように、該突片７におけるボックスＢに挿通された部分の基端で折り曲げられずに、これよりも先端で折り曲げられると、ボックス架設具Ａ1 の取付板１とボックスＢの底壁２１との間に隙間１２が形成されて、取付板１に対してボックスＢが、がたついた状態で取付けられる。
【００１３】
このように、ボックスＢ内において、架設具Ａ1 の突片７を曲げ損じた場合には、図７に示されるように、ボックスＢの底壁２１に設けられた残りの一対一組の２個の背面孔２２ｂに、ボックスＢの内側からビス１３を挿通して、その先端部を、取付板１に設けられたビス螺入孔４に強制的に螺入させると、該取付板１に対してボックスＢが相対的に引き寄せられて、同図に示されるように、該取付板１にボックスＢが密着して取付けられる。前記ビス１３は、先端部が先細りとなっていて、回転により下孔（背面孔２２ｂ）に自身で雌ねじを形成しながら、螺入される構造のものであって、最も一般的なものとして「タッピンネジ」が挙げられる。
【００１４】
このように、架設具Ａ1 の突片７を曲げ損じても、ボックスＢを貫通したビス１３を取付板１のビス螺入孔４に螺入して、ボックスＢを取付板１の側に相対的に引き寄せることにより、突片７を曲げ直さなくても、架設具Ａ1 の取付板１に対してボックスＢを密着して取付けられる。なお、一対の突片７が適正に折り曲げられて、該突片７の折り曲げのみによって、架設具Ａ1 の取付板１に対してボックスＢが密着して取付けられた場合には、上記ビス１３の使用は必要はない。また、架設具Ａ1 の取付板１に設けられた一対のビス螺入孔４と、該取付板１に設けられた一対の突片７とは、いずれも互いに対となったものが相対向し、しかも互いに対となったものを結ぶ線分が直交状態で交叉して配置されているために、２本のビス１３によって、架設具Ａ1 の取付板１の側にボックスＢを効果的に引き寄せて、固定できる利点がある。
【００１５】
そして、図８及び図９に示されるように、上下の２本の支持棒２の両端部を手で折り曲げて、針金１４を用いて、各支持棒２の両端の折曲げ部２ｂを横鉄筋Ｒに結束させ、この状態において、ボックスＢの前面に型枠１５を立設させると、折り曲げられた支持棒２の突張り力によって、ボックスＢの開口面は、前記型枠１５に密着する。上記したように、ボックスＢは、ビス１３により架設具Ａ1 の取付板１の側に引き寄せられて、該取付板１に密着しているために、ボックスＢの開口の全面が型枠１５に密着する。このため、ボックスＢの開口と型枠１５との間に隙間がなくなって、コンクリートの打設時において、ボックスＢ内にコンクリートが侵入しなくなる。
【００１６】
また、図１０に示されるボックス架設具Ａ2 は、上記架設具Ａ1 とは逆に、その取付板１に一対のビス挿通孔１０が設けられている。よって、突片７を曲げ損じた場合には、ボックスＢの外部から前記ビス挿通孔１０にビス１３’を挿通して、その先端部をボックスＢの背面孔２２ｂに螺入させると、架設具Ａ2 の取付板１の側にボックスＢが引き寄せられて、該取付板１に密着される。
【００１７】
更に、上記各ボックス架設具Ａ1,Ａ2 は、ボックスＢを鉄筋Ｒに架設するための架設部（支持棒２）と、ボックスＢの背面に当接して、これに取付けられる取付部（取付板１）とが別体となったものであり、取付板１のプレス加工時において、カール成形によって両者を一体化させている。しかし、図１１に示されるボックス架設具Ａ3 は、一枚の薄鋼板を打ち抜いて、取付板１’と、該取付板１’に一体に設けられた支持棒２’とを一体成形したものであり、プレスの打抜成形のみで全体が成形できる点に特徴を有する。この支持棒２’は、前記鉄線から成る支持棒２と同様に、手で折り曲げ可能である。なお、取付板１’には、一対のビス螺入孔４と、一対の突片７とが上記配置で設けられている。
【００１８】
なお、上記各実施例では、ボックスＢを鉄筋Ｒに架設するための架設部は、鉄線、或いは薄金属帯板から構成されていて、いずれも手で折り曲げ可能となっているが、本発明のボックス架設具においては、その架設部は、上記のように手で折り曲げ可能であることが望ましい。また、ボックス架設具の取付部（取付板１）に設けられるビス螺入孔４、或いはビス挿通孔１０は、この取付板１のプレス加工時において、素材の位置決め、移動等のために必ず設けられるパイロット孔を利用することも可能である。
【００１９】
【発明の効果】
本発明は、背面の中心を通る水平線及び垂直線の上に前記中心に対して左右及び上下に等間隔で振り分けられて、左右又は上下に形成された２個を一対一組とする計４個の背面孔が形成されたボックスを鉄筋に架設するためのボックス架設具であって、取付部に設けられ前記突片と前記ビス螺入孔とは、いずれも相対向して配置された一対で構成され、しかも一対の突片を結ぶ線分と、一対のビス螺入孔を結ぶ線分とは、前記ボックスの背面に上下又は左右に振り分けられた２個の背面孔の間隔と等しい長さを有して、各線分の中点で十字状に交叉しているので、前記一対の突片のいずれかを曲げ損じて、架設具の取付部に対してがたついた状態でボックスが取付けられる場合には、一対の前記突片が挿通された一対の背面孔とは別の一対の背面孔に一対のビスを挿通してボックス内を貫通させ、該一対のビスの先端部を、架設具の取付部に設けられた一対のビス螺入孔に螺入させて、架設具の取付部をボックスの背面側に引き寄せる。
【００２０】
これにより、突片を曲げ損じた場合には、一対の突片と一対のビスとにより十字形の各先端の４箇所において、架設具の取付部にボックスが、密着しかつ安定した状態で取付けられる。
【図面の簡単な説明】
【図１】  本発明に係るボックス架設具Ａ1 と、これに取付けられるボックスＢとの斜視図である。
【図２】  ボックス架設具Ａ1 の正面図である。
【図３】  図２のＸ−Ｘ線断面図である。
【図４】  図２のＹ−Ｙ線拡大断面図である。
【図５】  ボックスＢの正面図である。
【図６】  突片７を曲げ損じて、取付板１に対してボックスＢが、がたついた状態で取付けられた縦断面図である。
【図７】  ビス１３により取付板１の側にボックスＢが引き寄せられて、両者が密着した状態の縦断面図である。
【図８】  ボックス架設具Ａ1 を介して横鉄筋ＲにボックスＢが架設された状態の斜視図である。
【図９】  ボックス架設具Ａ1 を介して横鉄筋Ｒに架設されたボックスＢの前面に型枠１５が立設された状態の縦断面図である。
【図１０】  本発明に係る別のボックス架設具Ａ2 の取付板１にビス１３’によりボックスＢが引き寄せられた状態の縦断面図である。
【図１１】  本発明に係る更に別のボックス架設具Ａ3 の斜視図である。
【符号の説明】
Ａ1 〜Ａ3 ：ボックス架設具
Ｂ：ボックス
Ｃ：ボックスの中心
Ｐ：一対のビス挿通孔及び一対の突片のピッチ（ボックスの背面に上下及び左右に各一対設けられた背面孔のピッチ）
Ｒ：鉄筋
１，１’：取付板（取付部）
２，２’：支持棒（架設部）
４：ビス螺入孔
７：突片
１０：ビス挿通孔
１３，１３’：ビス
２１：ボックスの底壁
２２a,２２b ：ボックスの背面孔
【図１】
0003861955.tif 000002
【図２】
0003861955.tif 000003
【図３】
0003861955.tif 000004
【図４】
0003861955.tif 000005
【図５】
0003861955.tif 000006
【図６】
0003861955.tif 000007
【図７】
0003861955.tif 000008
【図８】
0003861955.tif 000009
【図９】
0003861955.tif 000010
【図１０】
0003861955.tif 000011
【図１１】
0003861955.tif 000012